(57)【要約】【課題】ユーザの興味に合う広告を効率よく配信する。【解決手段】広告配信システムは、放送された番組についてのユーザの視聴履歴を格納する視聴履歴格納部と、前記視聴履歴を解析して前記ユーザの好みに関する情報を有するユーザプロファイルを求める履歴解析部と、前記ユーザプロファイルを格納するプロファイル格納部と、前記ユーザプロファイルに含まれる情報に関連するキーワード及び前記ユーザの現在地に関連するキーワードを収集する関連情報取得部と、前記ユーザプロファイルに含まれる情報に関連するキーワード及び前記ユーザの現在地に関連するキーワードの両方に該当する共通キーワードを選択し、前記共通キーワードに関連する広告を広告データベースから読み出す関連性チェック部と、読み出された前記広告の内容を含む情報を表示する表示器とを有する。【選択図】図５
2017117368.tif 000002
【特許請求の範囲】
【請求項１】
放送された番組についてのユーザの視聴履歴を格納する視聴履歴格納部と、
前記視聴履歴を解析して前記ユーザの好みに関する情報を有するユーザプロファイルを求める履歴解析部と、
前記ユーザプロファイルを格納するプロファイル格納部と、
前記ユーザプロファイルに含まれる情報に関連するキーワード及び前記ユーザの現在地に関連するキーワードを収集する関連情報取得部と、
前記ユーザプロファイルに含まれる情報に関連するキーワード及び前記ユーザの現在地に関連するキーワードの両方に該当する共通キーワードを選択し、前記共通キーワードに関連する広告を広告データベースから読み出す関連性チェック部と、
読み出された前記広告の内容を含む情報を表示する表示器と
を備える広告配信システム。
【請求項２】
請求項１に記載の広告配信システムにおいて、
前記ユーザプロファイルは、ユーザが視聴した番組に関するキーワードを含む
ことを特徴とする広告配信システム。
【請求項３】
請求項１に記載の広告配信システムにおいて、
前記視聴履歴格納部は、テレビジョン受像器に含まれ、
前記表示器は、携帯端末に含まれる
ことを特徴とする広告配信システム。
【請求項４】
放送された番組についてのユーザの視聴履歴を格納し、
前記視聴履歴を解析して前記ユーザの好みに関する情報を有するユーザプロファイルを求め、
前記ユーザプロファイルを格納し、
前記ユーザプロファイルに含まれる情報に関連するキーワード及び前記ユーザの現在地に関連するキーワードを収集し、
前記ユーザプロファイルに含まれる情報に関連するキーワード及び前記ユーザの現在地に関連するキーワードの両方に該当する共通キーワードを選択し、
前記共通キーワードに関連する広告を広告データベースから読み出し、
読み出された前記広告の内容を含む情報を表示する
広告配信方法。
【発明の詳細な説明】
【技術分野】
【０００１】
本開示は、広告を配信する技術に関する。
【背景技術】
【０００２】
インターネットを経由した広告配信システムが知られている。例えば、特許文献１には、テレビジョン放送を受信する端末装置と広告サーバとを有するシステムであって、ＣＭ情報に基づいて広告を配信するものが記載されている。引用文献２には、ユーザの閲覧履歴に基づいて、広告を端末に表示させるシステムが記載されている。
【先行技術文献】
【特許文献】
【０００３】
【特許文献１】特開２０１４−２７６３７号公報
【特許文献２】特開２０１０−５５５９７号公報
【発明の概要】
【発明が解決しようとする課題】
【０００４】
しかしながら、引用文献１のシステムによると、ＣＭ情報に基づいて配信が行われることから、ユーザの興味には合わない広告が配信されることが多いと考えられる。引用文献２のシステムによると、あるウェブページを閲覧したことがあるというのみでは、ユーザがそのウェブページの内容に興味があるとは限らず、ユーザの興味にあった広告を効果的に配信するのは難しいと考えられる。
【０００５】
本発明は、ユーザの興味に合う広告を効率よく配信することを目的とする。
【課題を解決するための手段】
【０００６】
本開示による広告配信システムは、放送された番組についてのユーザの視聴履歴を格納する視聴履歴格納部と、前記視聴履歴を解析して前記ユーザの好みに関する情報を有するユーザプロファイルを求める履歴解析部と、前記ユーザプロファイルを格納するプロファイル格納部と、前記ユーザプロファイルに含まれる情報に関連するキーワード及び前記ユーザの現在地に関連するキーワードを収集する関連情報取得部と、前記ユーザプロファイルに含まれる情報に関連するキーワード及び前記ユーザの現在地に関連するキーワードの両方に該当する共通キーワードを選択し、前記共通キーワードに関連する広告を広告データベースから読み出す関連性チェック部と、読み出された前記広告の内容を含む情報を表示する表示器とを有する。
【０００７】
本開示による広告配信方法は、放送された番組についてのユーザの視聴履歴を格納し、前記視聴履歴を解析して前記ユーザの好みに関する情報を有するユーザプロファイルを求め、前記ユーザプロファイルを格納し、前記ユーザプロファイルに含まれる情報に関連するキーワード及び前記ユーザの現在地に関連するキーワードを収集し、前記ユーザプロファイルに含まれる情報に関連するキーワード及び前記ユーザの現在地に関連するキーワードの両方に該当する共通キーワードを選択し、前記共通キーワードに関連する広告を広告データベースから読み出し、読み出された前記広告の内容を含む情報を表示する。
【発明の効果】
【０００８】
本開示によれば、ユーザの興味に合う広告を効率よく配信することができる。
【図面の簡単な説明】
【０００９】
【図１】図１は、本発明の実施形態に係る広告配信システムの構成例を示すブロック図である。
【図２】図２は、図１の広告配信システムにおける処理の例の一部を示すフローチャートである。
【図３】図３は、図１の広告配信システムにおいて、図２の処理の後に行われる処理の例を示すフローチャートである。
【図４】図４は、対象キーワードと関連情報取得部が収集する関連キーワードとの間の関係の例を示す説明図である。
【図５】図５は、関連キーワードマップの例を示す説明図である。
【図６】図６は、本発明の実施形態による広告配信システムの一部を実現するコンピュータシステムの構成例を示すブロック図である。
【発明を実施するための形態】
【００１０】
以下、本発明の実施の形態について、図面を参照しながら説明する。
【００１１】
図１は、本発明の実施形態に係る広告配信システムの構成例を示すブロック図である。図１の広告配信システム１００は、テレビジョン受像器（ＴＶ）１０と、サーバ３０と、携帯端末５０とを有する。ＴＶ１０は、送受信機１２と、制御部１４と、チューナ１６と、表示器１８と、視聴履歴格納部２２と、プロファイル格納部２４とを有する。サーバ３０は、送受信機３２と、制御部３４と、履歴解析部３６と、関連情報取得部３８と、関連性チェック部４０と、キーワード格納部４２，４４と、広告格納部４６とを有する。携帯端末５０は、送受信機５２と、制御部５４と、位置検出器５６と、表示器５８と、プロファイル格納部６４とを有する。携帯端末５０は、例えば、スマートフォン、携帯電話、タブレット端末、パーソナルコンピュータ等である。
【００１２】
ＴＶ１０の送受信機１２は、インターネット等のネットワーク９０を介して、サーバ３０等との間でデータを送受信する。送受信機１２は、制御部１４からのデータをサーバ３０等に送信し、サーバ３０等から受信したデータを制御部１４に出力する。ＴＶ１０のユーザは、リモートコントローラ等を用いて、制御部１４に対して選局等の指示を行う。制御部１４は、ユーザの指示に従ってＴＶ１０の各構成要素を制御する。チューナ１６は、制御部１４の指示に従ってテレビジョン放送を受信して復調及びデコードを行い、得られた映像を表示器１８に表示させる。視聴履歴格納部２２は、放送された番組についてのユーザの視聴履歴を格納する。プロファイル格納部２４は、ユーザプロファイルを格納する。
【００１３】
携帯端末５０の送受信機５２は、携帯電話の基地局又は無線ＬＡＮ（local area network）の基地局と無線によって通信し、インターネット等のネットワーク９０を介して、サーバ３０等との間でデータを送受信する。送受信機５２は、制御部５４からのデータをサーバ３０等に送信し、サーバ３０等から受信したデータを制御部５４に出力する。制御部５４は、ユーザの指示に従って携帯端末５０の各構成要素を制御する。位置検出器５６は、例えばＧＰＳ（global positioning system）受信機であり、複数のＧＰＳ衛星からの電波を受信して携帯端末５０の位置を検出し、その位置を示す位置情報を制御部５４に出力する。位置検出器５６は、ネットワークから受信したデータをも用いるＡ−ＧＰＳ（assisted GPS）によって位置を検出してもよい。位置検出器５６は、無線ＬＡＮ又は携帯電話の基地局と通信し、その基地局の位置情報を用いて携帯端末５０の位置を検出してもよいし、その基地局の位置を携帯端末５０の位置と見なすようにしてもよい。表示器５８は、制御部５４の指示に従って、携帯端末５０の操作に必要な情報や、サーバ３０から送信された情報を表示する。プロファイル格納部６４は、ユーザプロファイルを格納する。
【００１４】
サーバ３０の送受信機３２は、インターネット等のネットワーク９０を介して、ＴＶ１０及び携帯端末５０等との間でデータを送受信する。制御部３４は、サーバ３０の各構成要素を制御する。履歴解析部３６は、視聴履歴格納部２２に格納されたユーザの視聴履歴を解析して、ユーザの好みに関する情報を有するユーザプロファイルを求め、プロファイル格納部２４及び６４に格納させる。関連情報取得部３８は、プロファイル格納部２４又は６４からユーザプロファイルを読み出し、ユーザプロファイルに含まれる情報に関連するキーワードをネットワーク９０から収集し、キーワード格納部４２に格納させる。また、関連情報取得部３８は、位置検出器５６で検出された携帯端末５０の位置、すなわちユーザの現在地の情報を受信し、ユーザの現在地に関連するキーワードをネットワーク９０から収集し、キーワード格納部４４に格納させる。
【００１５】
広告格納部４６は、ユーザに提示するための広告のデータを有する広告データベースを予め格納している。関連性チェック部４０は、キーワード格納部４２及び４４からキーワードを読み出し、ユーザプロファイルに含まれる情報に関連するキーワード及びユーザの現在地に関連するキーワードの両方に該当する共通キーワードを選択する。関連性チェック部４０は、共通キーワードに関連する広告を広告データベースから読み出し、携帯端末５０に送信する。
【００１６】
図２は、図１の広告配信システムにおける処理の例の一部を示すフローチャートである。図２のブロックＢ１２において、ユーザは、ＴＶ１０を用いてＴＶ番組を自由に視聴する。ブロックＢ１４において、制御部１４は視聴履歴を更新する。つまり、制御部１４は、ユーザが視聴した番組に関する情報を、視聴履歴格納部２２に格納することによって、視聴履歴に追加する。視聴履歴は、ユーザが視聴した番組に関する情報であって、例えば、視聴された番組のタイトル、出演者名、番組内容に関する説明文、放送された日時等であり、このような情報のうちの一部のみであってもよい。このような情報は、例えば、放送予定番組の情報から制御部１４が取得する。放送予定番組の情報は、例えば、放送局から放送されている。
【００１７】
ブロックＢ１６において、履歴解析部３６は、視聴履歴格納部２２に格納されたユーザの視聴履歴を、ネットワーク９０を経由して受信して解析し、ユーザプロファイルを作成する。ユーザプロファイルは、ユーザの好みに関する情報を有しており、例えば、ユーザの番組選択の傾向と、ユーザが視聴した番組に関するキーワード（以下では対象キーワードと称する）とを有する。例えば、ユーザが視聴した番組のうち、ある特定の俳優Ａが出演した番組の割合が所定値より高い場合には、履歴解析部３６は、「出演者重視」という情報を番組選択の傾向としてユーザプロファイルに含める。また、履歴解析部３６は、出演者としての俳優Ａの名前を、対象キーワードとしてユーザプロファイルに含める。
【００１８】
また、例えば、ユーザが視聴した番組のうち、視聴率が高い番組の割合が高い場合には、履歴解析部３６は、「視聴率重視」という情報を番組選択の傾向としてユーザプロファイルに含める。履歴解析部３６は、選択された番組の内容に関するキーワードを対象キーワードとしてユーザプロファイルに含めてもよい。
【００１９】
ブロックＢ１８において、履歴解析部３６は、作成されたユーザプロファイルを、ネットワーク９０を経由してプロファイル格納部２４及び６４に送信し、格納させる。通信ができない状態にある場合には、履歴解析部３６は、通信ができる状態になってから、ユーザプロファイルをプロファイル格納部２４及び６４に送信し、格納させてもよい。履歴解析部３６は、ユーザプロファイルを、プロファイル格納部２４及び６４のうちの１つのみに格納させてもよい。ユーザプロファイルがプロファイル格納部２４のみに格納された場合には、その後、制御部５４は、ユーザプロファイルをプロファイル格納部２４からプロファイル格納部６４に転送し、格納させる。
【００２０】
ブロックＢ１２〜Ｂ１８の処理は、ユーザが新たな番組を視聴する度に行われてもよい。ブロックＢ１２及びＢ１４の処理はユーザが新たな番組を視聴する度に行われ、ブロックＢ１６及びＢ１８の処理はユーザが番組の視聴を止めたとき（例えばＴＶ１０を待機状態にしたとき）に行われてもよい。
【００２１】
図３は、図１の広告配信システムにおいて、図２の処理の後に行われる処理の例を示すフローチャートである。例えばユーザが所定のソフトウェアを用いて情報検索を行うときに、図３の処理が行われる。図３のブロックＢ３２において、関連情報取得部３８は、携帯端末５０のプロファイル格納部６４からユーザプロファイルを読み出す。
【００２２】
ブロックＢ３４において、関連情報取得部３８は、ネットワーク９０上の情報から、ユーザプロファイルに関連する関連キーワードを収集し、キーワード格納部４２に格納させる。ここでは、ユーザプロファイルに、番組選択の傾向が出演者重視であるという情報、及び、対象キーワードとして俳優Ａが含まれている場合について、図４を参照して例として説明する。
【００２３】
図４は、対象キーワードと関連情報取得部３８が収集する関連キーワードとの間の関係の例を示す説明図である。関連情報取得部３８は、対象キーワードである俳優Ａに関連する１次情報源としてのサイト、例えば、ネットワーク９０上の公式ウェブサイト７４Ａ、公式Twitter７４Ｂ，７４Ｃ、俳優Ａの出演作品のウェブサイト７４Ｄ，７４Ｅ等にアクセスし、それぞれのサイトに記述された言葉を関連キーワード７６Ａ〜７６Ｆとして収集する。例えば、公式ウェブサイト７４Ａからは関連キーワード７６Ａ、出演作品のウェブサイト７４Ｄからは関連キーワード７６Ｂ及び７６Ｃを収集する。
【００２４】
関連情報取得部３８は、俳優Ａに関連するサイト７４Ａ〜７４Ｅに更に関連する２次情報源としてのサイト７８Ａ，７８Ｂ（例えばサイト７４Ａ〜７４Ｅからリンクされているサイト）にアクセスし、それぞれのサイトに記述された言葉を関連キーワード７６Ｇ〜７６Ｍとして更に収集してもよい。更に、関連情報取得部３８は、ネットワーク９０上の他の情報から関連キーワードを収集してもよい。そのような情報には、例えば、俳優Ａの公演情報、出没情報、ファッション情報、公演履歴、出身地情報、買い物情報、ＣＭ情報、来店情報、ローカルＣＭ情報、俳優Ａのブログ、俳優Ａのファンのサイト等が含まれる。関連情報取得部３８は、関連キーワードをキーワード格納部４２に格納させる。
【００２５】
例えば、番組選択の傾向が視聴率重視であるという情報がユーザプロファイルに含まれている場合には、関連情報取得部３８は、ネットワーク９０上の情報から、最近の一般的に人気のある事項に関連する、関連キーワードを収集してもよい。
【００２６】
図３のブロックＢ３６において、関連情報取得部３８は、ネットワーク９０上の情報から、ユーザプロファイルに関連する関連キーワードを収集し、キーワード格納部４４に格納させる。より詳しくは、関連情報取得部３８は、まず、ユーザの現在地の情報を位置検出器５６から受信する。この情報は、例えば緯度及び経度を示す情報であり、関連情報取得部３８は、例えばネットワーク９０上の情報を参照して、この情報が示す地点やその周辺の市区町村名、観光エリア名等を、地域名称としていくつか選択する。
【００２７】
関連情報取得部３８は、選択された地域名称のそれぞれについて、図４の俳優Ａの場合と同様に、対象キーワードであるその地域名称Ｌに関連するサイト、例えば、ネットワーク９０上の公式ウェブサイト等にアクセスし、それぞれのサイトに記述された言葉を関連キーワードとして収集する。関連情報取得部３８は、地域名称に関連するサイトに更に関連するサイトにアクセスし、それぞれのサイトに記述された言葉を関連キーワードとして更に収集してもよい。更に、関連情報取得部３８は、ネットワーク９０上の他の情報から関連キーワードを収集してもよい。そのような情報には、例えば、地域名称Ｌの飲食店情報、特産品情報、観光案内情報、お土産情報、出身者情報、イベント情報、交通機関の情報、観光案内書籍の情報等が含まれる。関連情報取得部３８は、関連キーワードをキーワード格納部４４に格納させる。
【００２８】
以上の各関連キーワードには、その情報源や対象キーワードとの関連度の情報が付加されてもよい。関連情報取得部３８は、例えば、共起マップやＴＦ（term frequency）−ＩＤＦ（inverse document frequency）等の手法を用いて、出現頻度等から関連度を求める。関連情報取得部３８は、２次情報源に関連する３次情報源としてのサイトにアクセスして関連キーワードを更に収集してもよい。同様に、関連情報取得部３８は、更に高次の情報源としてのサイトにアクセスして関連キーワードを収集してもよい。関連情報取得部３８は、関連キーワードのうち、関連度が高い一部のキーワード等を対象キーワードとして扱ってもよい。この場合、関連情報取得部３８は、図４の場合と同様に、その対象キーワードに関連するサイトや情報にアクセスし、そこから関連キーワードを更に収集する。
【００２９】
図３のブロックＢ３８において、関連性チェック部４０は、キーワード格納部４２及び４４からキーワードを読み出し、ユーザプロファイルに含まれる情報に関連するキーワード及びユーザの現在地に関連するキーワードの両方に該当する共通キーワードを選択する。図５は、関連キーワードマップの例を示す説明図である。図５には、対象キーワードである俳優Ａ及び地域名称Ｌ、並びにこれらの関連キーワードの間の関係が示されている。共通キーワード７７Ａは、対象キーワード７２Ａ（俳優Ａ）及び７２Ｂ（地域名称Ｌ）に直接関連している関連キーワードであり、共通キーワード７７Ｂは、対象キーワード７２Ａの関連キーワード７６ＦＡ及び対象キーワード７２Ｂの関連キーワード７６Ｐに関連する関連キーワードである。関連キーワード７６ＦＡは、俳優Ａの関連キーワード７６Ｆに更に関連している。
【００３０】
言い換えると、関連性チェック部４０は、対象キーワード７２Ａについての関連キーワードと、対象キーワード７２Ｂについての関連キーワードとの中から、２つの対象キーワードのいずれにも関連するキーワードを、共通キーワード７７Ａ，７７Ｂとして選択する。
【００３１】
ブロックＢ４０において、関連性チェック部４０は、共通キーワードに関連する情報を、ネットワーク９０上の情報、及び広告格納部４６の広告データベースから収集する。例えば、共通キーワード７７Ａが「ＸＸラーメン」であるとすると、関連性チェック部４０は、対象キーワード７２Ａ（俳優Ａ）と共通キーワード７７Ａとを含む情報、及び、対象キーワード７２Ａ（地域名称Ｌ）と共通キーワード７７Ａとを含む情報を収集する。例えば、ネットワーク９０からは、「俳優ＡがＸＸラーメンを食べた」という情報、広告データベースからは、ＹＹ店の広告として「地域名称Ｌには、ＸＸラーメンで有名なＹＹ店がある」という情報が収集される。
【００３２】
ブロックＢ４２において、関連性チェック部４０は、表示用の情報を生成する。例えば、関連性チェック部４０は、ブロックＢ４０で収集された情報をそのまま表示用の情報として用いてもよいし、ブロックＢ４０で収集された情報を組み合わせて表示用の情報を生成してもよい。そのような表示用の情報には、広告データベースから読み出された広告の内容が含まれる。例えば、関連性チェック部４０は、「あなたの近くに、俳優Ａが食べたＸＸラーメンで有名なＹＹ店があります」という情報を広告として生成してもよい。関連性チェック部４０は、表示用の情報を携帯端末５０に送信する。以上のような処理により、広告がユーザに配信される。
【００３３】
ブロックＢ４４において、制御部５４は、関連性チェック部４０から受信した表示用の情報を表示器５８に送信する。表示器５８は、受信した表示用の情報を表示する。
【００３４】
以上のように、広告配信システム１００によると、配信される広告は、ユーザの視聴履歴及びユーザの現在地に基づいて広告データベースから選択された情報に基づくので、広告が配信されるユーザは、広告主の商品やサービスに関心が高いと考えられる。このため、広告主は、他の土地から訪問したユーザに、そのユーザの興味や関心に合う広告を効率よく配信することが可能になる。ユーザは、訪問先の土地において、その土地を知らなくても、ユーザの興味や関心に合う有益な情報を取得することができる。また、一般的な話題となりやすいテレビ番組に関連する情報をユーザに提供するので、広告主がインターネット上等で話題に挙げられることが期待でき、広告主への貢献は大きいと考えられる。
【００３５】
なお、ユーザの移動手段に応じて、広告対象の存在地の範囲を変更してもよい。例えば、位置検出器５６がユーザの位置をサーバ３０に次々に送信し、関連情報取得部３８は、受信されたユーザ位置の情報から、ユーザの移動速度や移動経路を知ることができ、更に、ユーザの移動手段が徒歩、自動車、又は鉄道等のいずれであるかを判定することができる。
【００３６】
関連性チェック部４０は、ユーザの移動手段が徒歩である場合には、例えば、ユーザの現在地を含む比較的狭い範囲内にある広告対象の広告を広告データベースから読み出す。関連性チェック部４０は、ユーザの移動手段が自動車である場合には、例えば、ユーザの現在地を含む比較的広い範囲内にある広告対象の広告を広告データベースから読み出す。関連性チェック部４０は、ユーザの移動手段が鉄道である場合には、例えば、ユーザが現在使用している路線の近くにある広告対象の広告を広告データベースから読み出す。これにより、ユーザの状況に応じて効率よく広告の提示を行うことができる。
【００３７】
図６は、本発明の実施形態による広告配信システムの一部を実現するコンピュータシステムの構成例を示すブロック図である。図６のコンピュータシステム３００は、プロセッサ８１と、バス８２と、ＧＰＳ受信機８３と、送受信機８４と、格納部８５と、ユーザインタフェース８８とを有する。格納部８５は、メモリ８６と、ファイル格納部８７とを有する。コンピュータシステム３００は、例えば、図１の携帯端末５０として動作する。
【００３８】
プロセッサ８１は、バス８２を経由して他の構成要素と通信する。ＧＰＳ受信機８３は、ＧＰＳ衛星からの電波をアンテナ経由で受信し、位置の検出を行う。送受信機８４は、例えば携帯電話の基地局や無線ＬＡＮの基地局と無線で通信を行い、インターネット等のネットワーク９０との間でデータを送受信する。送受信機８４は、有線によってネットワーク９０との間でデータを送受信してもよい。ＧＰＳ受信機８３は、ネットワークから受信したデータをも用いて、位置を検出し得る。ＧＰＳ受信機８３は、位置検出器として動作し得る。
【００３９】
メモリ８６は例えばＲＡＭ（random access memory）及びＲＯＭ（read only memory）を含んでおり、データ及び命令を格納する。ファイル格納部８７は、１以上の揮発性又は不揮発性の、非過渡的な、コンピュータ読み取り可能な格納媒体である。本発明の実施形態がソフトウェアで実現される場合には、例えば、マイクロコード、アセンブリ言語のコード、又はより高レベルの言語のコードが用いられ得る。これらのコードで記述され、本発明の実施形態の機能を実現する命令を含むプログラムを、ファイル格納部８７は格納する。ファイル格納部８７は、ＲＡＭ、ＲＯＭ、ＥＥＰＲＯＭ（electrically erasable programmable read only memory）、及びフラッシュメモリ等の半導体メモリ、ハードディスクドライブ等の磁気記録媒体、光記録媒体、これらの組み合わせ等を含み得る。
【００４０】
ユーザインタフェース８８は、入力デバイスとして、タッチスクリーン、キーボード、及びマウス等を含み得る。ユーザインタフェース６６は、出力デバイスとして、液晶ディスプレイ、有機ＥＬ（electroluminescence）ディスプレイ等のフラットパネルディスプレイを含み得る。
【００４１】
コンピュータシステム３００は、例えば、図１のＴＶ１０の一部として動作してもよい。コンピュータシステム３００は、例えば、図１のサーバ３０として動作してもよい。これらの場合、ＧＰＳ受信機８３は必要ない。
【００４２】
本明細書における各機能ブロックは、典型的にはハードウェアで実現され得る。代替としては各機能ブロックの一部又は全ては、ソフトウェアで実現され得る。例えばそのような機能ブロックは、プロセッサ及びプロセッサ上で実行されるプログラムによって実現され得る。換言すれば、本明細書で説明される各機能ブロックは、ハードウェアで実現されてもよいし、ソフトウェアで実現されてもよいし、ハードウェアとソフトウェアとの任意の組合せで実現され得る。
【００４３】
本発明の多くの特徴及び優位性は、記載された説明から明らかであり、よって添付の特許請求の範囲によって、本発明のそのような特徴及び優位性の全てをカバーすることが意図される。更に、多くの変更及び改変が当業者には容易に可能であるので、本発明は、図示され記載されたものと全く同じ構成及び動作に限定されるべきではない。したがって、全ての適切な改変物及び等価物は本発明の範囲に入るものとされる。
【産業上の利用可能性】
【００４４】
以上説明したように、本発明は、広告配信等について有用である。
【符号の説明】
【００４５】
１０  テレビジョン受像器
２２  視聴履歴格納部
３６  履歴解析部
２４，６４  プロファイル格納部
３０  サーバ
３８  関連情報取得部
４０  関連性チェック部
５０  携帯端末
５８  表示器
【図１】
2017117368.tif 000003
【図２】
2017117368.tif 000004
【図３】
2017117368.tif 000005
【図４】
2017117368.tif 000006
【図５】
2017117368.tif 000007
【図６】
2017117368.tif 000008